(57)【特許請求の範囲】
【請求項１】
表示装置と、
液晶画面を密着させたハーフミラーと、
カメラと、
を有するカメラシステムにおいて、
前記液晶画面を密着させたハーフミラーは、前記表示装置の前に設置され、
前記カメラは、前記液晶画面を密着させたハーフミラーに向けて設置されており、撮影を行う場合に前記液晶画面に対して前記表示装置からの光の遮断を指示する信号を送り、前記撮影が終了すると前記液晶画面に対して前記表示装置からの光の透過を指示する信号を送る
ことを特徴とするカメラシステム。
【請求項２】
請求項１記載のカメラシステムにおいて、
前記カメラの撮影タイミングを調節できる
ことを特徴とするカメラシステム。
【請求項３】
請求項１乃至２のいずれか１項に記載のカメラシステムにおいて
前記液晶画面を密着させたハーフミラーは、上下左右に向きを調節できる
ことを特徴とするカメラシステム。
【発明の詳細な説明】
【技術分野】
【０００１】
本発明は、表示装置による映像表示とハーフミラーによる映像撮影を切り替えるカメラシステムに関する。
【背景技術】
【０００２】
これまで、ディスプレイ等の表示装置の前に、ハーフミラーを設置してそのハーフミラーでディスプレイの光を透過させながら、同時に外の映像を反射させてカメラで撮影を行うという技術があった。例えば、特許文献１に記載されたテレビカメラ同軸型画面表示器では、モニター画面の前にハーフミラーを４５度の傾斜角で設置し、更に、ビデオカメラをモニター画面に直角に設置し、ビデオカメラの光軸と使用者のモニター画面への視線がハーフミラーのほぼ中心で一致するようにして、使用者同士の視線を一致させていた。
【０００３】
しかし、ビデオカメラにはハーフミラーで反射される映像（主に、使用者の顔）のほか、ハーフミラーを透過してくる映像も撮影され、この透過映像は反射映像を不鮮明にし、品質を劣化させてしまう。この課題を解決するため、引用文献２に記載されたテレビ電話装置では、偏光方向が互いに直交している２枚の偏光板を、それぞれモニター画面前とビデオカメラ前に配置して、ハーフミラーからの透過映像を遮断しつつ、使用者同士の視線を一致させていた。
【先行技術文献】
【特許文献】
【０００４】
【特許文献１】特開平１−２８８０８２号公報
【特許文献２】特開平５−１９９５１８号公報
【発明の概要】
【発明が解決しようとする課題】
【０００５】
ところが、このように偏光板を設置する等の工夫をしてきたが、ハーフミラーが外の映像を鮮明に反射するまでには至らなかった。また、通常のシャッター方式では、１秒間の撮影コマ数の変更が行えず、撮影した多量の情報をコンピュータで処理しなければならなかった。更に、ディスプレイで表示している映像とシャッターによる撮影で画面が乱れた場合のシャッター時間の調整が困難であった。
【０００６】
そこで、本発明の目的は、上述した課題を解決するディスプレイによる映像表示とハーフミラーによる映像撮影の切り替えを可能にしたカメラシステムを提案することにある。
【課題を解決するための手段】
【０００７】
本発明のカメラシステムは、表示装置と、液晶画面を密着させたハーフミラーと、カメラとを有するカメラシステムであって、液晶画面を密着させたハーフミラーは、表示装置の前に設置され、カメラは、液晶画面を密着させたハーフミラーに向けて設置されていることを特徴とする。
【発明の効果】
【０００８】
本発明によれば、液晶画面の遮断より、ハーフミラーが外の映像を反射させカメラ撮影ができることと、液晶画面の透過により、ハーフミラーを通して表示装置の映像を表示できることが交互に実行できるという効果を奏する。
【図面の簡単な説明】
【０００９】
【図１】本発明の実施形態に係る概略図である。
【図２】本発明の実施形態に係る断面図である。
【図３】本発明の実施形態に係るハーフミラーの角度調整を説明する図である。
【発明を実施するための形態】
【００１０】
本発明を実施するための最良の実施形態について、図面を用いて詳細に説明する。
【００１１】
図１は、本発明の実施形態であるカメラシステム１０の概略図である。カメラシステム１０は、主にコンピュータ１（不図示）、ディスプレイ２、液晶画面３、ハーフミラー４、及び、カメラ５で構成されている。
【００１２】
コンピュータ１は、カメラ５から連続した映像を受信してビデオ映像として取り込むことと、カメラ５が取り込む映像のコマ数を指定することができる（図２参照）。
【００１３】
液晶画面３とハーフミラー４は、密着した状態で板状になっており、ディスプレイ２の前に設置されている（図２参照）。液晶画面３は、カメラ５からの指示で、外部からの光の遮断と透過を繰り返すことができる。
【００１４】
ハーフミラー４とは、明るい所から、覗くと鏡にように見えるが、暗い所から覗くとガラスのように向こう側が見えるもので、マジックミラーとも言われる。ハーフミラー４は、ディスプレイ２の前に設置され、外の映像をカメラ５へ映すことと、ハーフミラー上下角度調節摘み６とハーフミラー左右角度調節摘み７で、カメラ５に撮影される映像の位置を調整することができる。
【００１５】
図３には、ハーフミラー上下角度調節摘み６とハーフミラー左右角度調節摘み７の一例を示してある。ハーフミラー上下角度調節機構６ａ及び６ｂは、枠１６に固定されており、ハーフミラー４に固定された軸１５を受けており、ハーフミラー４を上下に振り動かすことができるようになっている。この上下にどれくらい振り動かすかの調節は、ハーフミラー上下角度調節機構６ａ及び６ｂに連動するハーフミラー上下角度調節摘み６によって行われる。また、ハーフミラー左右角度調節機構７ａ及び７ｂは、枠１７に固定されており、枠１６を左右に振り動かすことができるようになっている。この左右にどれくらい振り動かすかの調節は、ハーフミラー左右角度調節機構７ａ及び７ｂに連動するハーフミラー左右角度調節摘み７によって行われる。
【００１６】
カメラ５は、撮影するタイミング調整摘み８と液晶画面３の遮断と透過を制御する機能を有している。また、コンピュータ１から指定された撮影コマ数を撮影し、コンピュータ１へ画像データを送信することができる。また、撮影している時間は、液晶画面３を遮断させることと、撮影していない間は液晶画面３を透過させることができる。また、ディスプレイ２に表示される映像とカメラ５の撮影とが同期して映像が乱れないように撮影タイミングを調整することができる。
【００１７】
次に、本発明の実施形態に係る動作の説明を行う。コンピュータ１は、カメラ５に対して１秒間の撮影コマ数の情報を送信する。カメラ５は、１コマの撮影を行う時間に関して、液晶画面３へディスプレイ２からの光を遮断するように信号を送り、液晶画面３を黒くする。
【００１８】
ハーフミラー４によって、ディスプレイ２からの光が遮断され、外が明るくなることで、外からの映像をカメラ５へ反射して撮影を行うことができる。カメラ５は撮影が終了すると、透過を指示する信号を送り、これによって、液晶画面３は、透明になる。すると、ハーフミラー４は、ディスプレイ２の光が明るくなることで、ディスプレイ２の映像を透過させ、同時に撮影した映像をコンピュータ１へ送信する。コンピュータ１は、カメラ５から映像を取り込むことを行う。
【００１９】
即ち、ディスプレイ２から見た正面の映像を、ディスプレイ２に表示しながら、コンピュータ１に接続したカメラ５で撮影する際、カメラ撮影時には、液晶画面３を暗くして、ディスプレイ２からの光を遮断することで、ハーフミラー４の反射率を上げて鮮明な映像が撮影できる。また、カメラ５が撮影しないときには、液晶画面３を透明にしてディスプレイ２の光を透過させることができる。
【００２０】
また、カメラ５と液晶画面３とが連動して、撮影とディスプレイ２の表示を高速で繰り返すことで、ビデオ映像をコンピュータ１に取り込みながら、ディスプレイ２表示も行える。また、カメラ５が１コマ撮影する間隔だけ液晶画面３を暗くして、カメラ５が撮影を行わない間は液晶画面３を透明にする。この液晶画面３がディスプレイ２の光を透過したり遮断したりを高速で繰り返すことで、ディスプレイ２の表示とカメラ５の撮影が行え、コンピュータ１には連続したビデオ映像が取り込むことができる。また、コンピュータ１から１秒間に必要な撮影コマ数を設定できる。
【００２１】
操作者は、ディスプレイ２に表示されている映像と、液晶画面３の同期による映像の乱れが起きないように、カメラ５に取り付けられた撮影タイミング調節摘み８で、撮影のタイミングを調整し、ハーフミラー４に繋がっているハーフミラー上下角度調節摘み６とハーフミラー左右角度調節摘み７を使って撮影位置の調整を行う。このカメラ５に取り付けられた撮影タイミング調節摘み８を用意することで、ディスプレイ２に表示される映像とカメラ５の撮影タイミングが同期することを避けることができる。
【００２２】
この発明によれば、ディスプレイから見た正面の映像がハーフミラーを使って、ディスプレイの表示を遮ることなく、鮮明にコンピュータに取り込むことが可能になる。
【００２３】
また、ハーフミラーの反射と透過を時分割で行えるようにすることで、ハーフミラーが外の映像を鮮明に反射させビデオ映像をコンピュータに送ることが可能になった。
【００２４】
また、カメラの撮影する時間は、１秒間に６０コマの撮影ができたとしても、約０．０１５秒の瞬断のみとなり、人間の目に映像が残る時間内となるので、操作者に違和感なく表示を確認できる。
【００２５】
また、テレビ電話を行った際には、ハーフミラーの傾きを上下左右に調節できるので、通話相手の目線を合わせるための調整が行える。
【００２６】
また、ディスプレイで表示中のビデオ映像と、液晶画面の遮断／透過が同期を起こしてビデオ映像が乱れることがあるので、カメラの撮影タイミングの調整を行い、画像の乱れを回避することができる。
【００２７】
また、外の映像を撮影時に、ハーフミラーの反射率を上げるための強度な照明機器の設置が不要になる。
【産業上の利用可能性】
【００２８】
テレビ電話を行う場合は、通話相手の視線を合わせながらの使用が可能になり、撮影コマ数をテレビ電話の映像送信コマ数に合わせることにより、コンピュータでの映像の取捨選択を行うことが不要になる。
【符号の説明】
【００２９】
１    コンピュータ
２    ディスプレイ
３    液晶画面
４    ハーフミラー
５    カメラ
６    ハーフミラー上下角度調節摘み
７    ハーフミラー左右角度調節摘み
８    撮影タイミング調節摘み
１０    カメラシステム
【図１】
0005560668.tif 000002
【図２】
0005560668.tif 000003
【図３】
0005560668.tif 000004